(57)【特許請求の範囲】
【請求項１】
ネットワークを介して接続可能なユーザ端末から受け付けたクエリに応じた検索結果ページに含めるリッチスニペット情報を生成し更新するリッチスニペット生成更新装置であって、
前記ユーザ端末から受け付けたクエリと、当該クエリに応じて前記ユーザ端末に表示した検索結果に含まれるページのうち前記ユーザ端末から選択を受け付けたページとを関連付けて記憶したクリックログデータベースと、
前記クリックログデータベースを参照して、１以上の所定のキーワードを含む基準クエリ、又は、当該基準クエリ及びその他のキーワードを含む付加クエリ、のうちのいずれか一方のクエリである、第１クエリに応じた検索結果ページに含まれる、ドメインが同一のページである検索ヒットページのクリック率である検索ヒットクリック率に応じて、当該検索ヒットページから当該検索結果ページにおいて前記リッチスニペット情報に含める掲載対象ページを当該ドメイン毎に抽出する抽出手段と、
前記抽出手段が抽出した前記掲載対象ページのリンク情報を含むリッチスニペット情報を生成する生成手段と、
前記生成手段が生成した前記リッチスニペット情報を前記所定のキーワードに対する検索結果ページに含める設定をする設定手段と、
前記クリックログデータベースを参照して、前記基準クエリ又は前記付加クエリのうち前記第１クエリではない他方のクエリである第２クエリに応じた検索結果ページにおける、前記リッチスニペット情報に含まれる前記掲載対象ページのクリック率である掲載対象クリック率を集計する集計手段と、
前記集計手段が集計した前記掲載対象クリック率に応じて、前記生成手段が生成した前記リッチスニペット情報を更新する更新手段と、を備えるリッチスニペット生成更新装置。
【請求項２】
前記更新手段は、前記リッチスニペット情報に含まれる前記掲載対象ページの前記ユーザ端末における表示順位を前記掲載対象クリック率の高いものほど上位に表示するように変更する請求項１に記載のリッチスニペット生成更新装置。
【請求項３】
前記更新手段は、前記掲載対象クリック率が所定の値より低い前記掲載対象ページを前記リッチスニペット情報から削除する請求項１又は２に記載のリッチスニペット生成更新装置。
【請求項４】
前記更新手段は、前記リッチスニペット情報から削除した前記掲載対象ページの代わりに、前記抽出手段による抽出から漏れた前記検索ヒットページを前記リッチスニペット情報に含める請求項３に記載のリッチスニペット生成更新装置。
【請求項５】
前記第１クエリは、前記付加クエリであり、
前記第２クエリは、前記基準クエリである請求項１から４のいずれかに記載のリッチスニペット生成更新装置。
【請求項６】
前記第１クエリは、前記基準クエリであり、
前記第２クエリは、前記付加クエリである請求項１から４のいずれかに記載のリッチスニペット生成更新装置。
【請求項７】
前記更新手段は、前記設定手段が前記リッチスニペット情報を設定してから所定期間経過後に、当該リッチスニペット情報を更新する請求項１から３のいずれかに記載のリッチスニペット生成更新装置。
【請求項８】
ネットワークを介して接続可能なユーザ端末から受け付けたクエリに応じた検索結果ページに含めるリッチスニペット情報を生成し更新するリッチスニペット生成更新装置が実行するリッチスニペット生成更新方法であって、
前記ユーザ端末から受け付けたクエリと、当該クエリに応じて前記ユーザ端末に表示した検索結果に含まれるページのうち前記ユーザ端末から選択を受け付けたページとを関連付けて記憶したクリックログデータベースを参照して、１以上の所定のキーワードを含む基準クエリ、又は、当該基準クエリ及びその他のキーワードを含む付加クエリ、のうちのいずれか一方のクエリである、第１クエリに応じた検索結果ページに含まれる、ドメインが同一のページである検索ヒットページのクリック率である検索ヒットクリック率に応じて、当該検索ヒットページから当該検索結果ページにおいて前記リッチスニペット情報に含める掲載対象ページを当該ドメイン毎に抽出する抽出ステップと、
前記抽出ステップで抽出した前記掲載対象ページのリンク情報を含むリッチスニペット情報を生成する生成ステップと、
前記生成ステップで生成した前記リッチスニペット情報を前記所定のキーワードに対する検索結果ページに含める設定をする設定ステップと、
前記クリックログデータベースを参照して、前記基準クエリ又は前記付加クエリのうち前記第１クエリではない他方のクエリである第２クエリに応じた検索結果ページにおける、前記リッチスニペット情報に含まれる前記掲載対象ページのクリック率である掲載対象クリック率を集計する集計ステップと、
前記集計ステップで集計した前記掲載対象クリック率に応じて、前記生成ステップで生成した前記リッチスニペット情報を更新する更新ステップと、を含むリッチスニペット生成更新方法。
【発明の詳細な説明】
【技術分野】
【０００１】
本発明は、リッチスニペット生成更新装置及び方法に関する。
【背景技術】
【０００２】
ネットワーク環境の発展に伴い、ネットワーク上には様々な情報が溢れており、Ｗｅｂページの閲覧に際し、ユーザは、先ず検索サイトを用いた検索を実行することが一般的になっている。このような検索サイトでは、ユーザの利便性を高めるべく様々な工夫が行われている。一例として、ユーザの検索意図に応じた検索結果リストを生成する技術が知られている。
【０００３】
例えば、特許文献１には、クエリ入力時におけるユーザの主な意図を明らかにする行為のパターンを識別し分類し、この分類に基づき検索結果を生成することで、ユーザの意図に基づく検索結果を生成する技術が提案されている。
【先行技術文献】
【特許文献】
【０００４】
【特許文献１】特表２０１０−５０６２７１号公報
【発明の概要】
【発明が解決しようとする課題】
【０００５】
しかしながら、検索サイトのユーザには、検索サイトの操作に精通した熟練者から検索ページの操作に慣れていない初心者まで含まれる。例えば、複数のワードからなるマルチワードクエリを入力するユーザは、ある程度検索サイトの操作に慣れている熟練者であることが多いのに対して、１つのワードからなるシングルワードクエリを入力するユーザには、初心者及び熟練者の双方が含まれている可能性がある。また、シングルワードクエリに比べてマルチワードクエリは、分析対象となるクエリが複数存在するためにユーザの検索意図の判定がより容易なものとなる。このように、特許文献１に開示されたユーザの検索意図の判定技術には、シングルワードクエリ／マルチワードクエリの使い分け等に基づいて改善する余地が残されている。
【０００６】
ところで、近年では、検索にヒットしたＷｅｂページの概要を検索結果画面に表示するスニペットや、概要に加え当該検索にヒットしたＷｅｂページに関連する情報をスニペットとして検索結果画面に表示するリッチスニペットが知られている。
【０００７】
そこで、本発明は、１以上の所定のキーワードを含む基準クエリ、又は、当該基準クエリ及びその他のキーワードを含む付加クエリの使い分けに基づいて、基準クエリ又は付加クエリのうちの一方のクエリに応じた検索結果ページのクリックログに基づいてリッチスニペットを生成し、他方のクエリに応じた検索結果ページのクリックログに基づいて当該リッチスニペットの内容を更新することで、幅広いユーザの利便性を向上するリッチスニペット生成更新装置及び方法を提供することを目的とする。
【課題を解決するための手段】
【０００８】
（１）  ネットワークを介して接続可能なユーザ端末から受け付けたクエリに応じた検索結果ページに含めるリッチスニペット情報を生成し更新するリッチスニペット生成更新装置であって、
前記ユーザ端末から受け付けたクエリと、当該クエリに応じて前記ユーザ端末に表示した検索結果に含まれるページのうち前記ユーザ端末から選択を受け付けたページとを関連付けて記憶したクリックログデータベースと、
前記クリックログデータベースを参照して、１以上の所定のキーワードを含む基準クエリ、又は、当該基準クエリ及びその他のキーワードを含む付加クエリ、のうちのいずれか一方のクエリである、第１クエリに応じた検索結果ページに含まれる、ドメインが同一のページである検索ヒットページのクリック率である検索ヒットクリック率に応じて、当該検索ヒットページから当該検索結果ページにおいて前記リッチスニペット情報に含める掲載対象ページを当該ドメイン毎に抽出する抽出手段と、
前記抽出手段が抽出した前記掲載対象ページのリンク情報を含むリッチスニペット情報を生成する生成手段と、
前記生成手段が生成した前記リッチスニペット情報を前記所定のキーワードに対する検索結果ページに含める設定をする設定手段と、
前記クリックログデータベースを参照して、前記基準クエリ又は前記付加クエリのうち前記第１クエリではない他方のクエリである第２クエリに応じた検索結果ページにおける、前記リッチスニペット情報に含まれる前記掲載対象ページのクリック率である掲載対象クリック率を集計する集計手段と、
前記集計手段が集計した前記掲載対象クリック率に応じて、前記生成手段が生成した前記リッチスニペット情報を更新する更新手段と、を備えるリッチスニペット生成更新装置。
【０００９】
（１）のリッチスニペット生成更新装置は、ネットワークを介して接続可能なユーザ端末から受け付けたクエリに応じた検索結果ページに含めるリッチスニペット情報を生成し更新する。
クリックログデータベースは、ユーザ端末から受け付けたクエリと、当該クエリに応じてユーザ端末に表示した検索結果に含まれるページのうちユーザ端末から選択を受け付けたページとを関連付けて記憶する。
抽出手段は、クリックログデータベースを参照して、１以上の所定のキーワードを含む基準クエリ、又は、当該基準クエリ及びその他のキーワードを含む付加クエリ、のうちのいずれか一方のクエリである、第１クエリに応じた検索結果ページに含まれる、ドメインが同一のページである検索ヒットページのクリック率である検索ヒットクリック率に応じて、当該検索ヒットページから当該検索結果ページにおいてリッチスニペット情報に含める掲載対象ページを当該ドメイン毎に抽出する。
生成手段は、抽出手段が抽出した掲載対象ページのリンク情報を含むリッチスニペット情報を生成する。
設定手段は、生成手段が生成したリッチスニペット情報を所定のキーワードに対する検索結果ページに含める設定をする。
集計手段は、クリックログデータベースを参照して、基準クエリ又は付加クエリのうち第１クエリではない他方のクエリである第２クエリに応じた検索結果ページにおける、リッチスニペット情報に含まれる掲載対象ページのクリック率である掲載対象クリック率を集計する。
更新手段は、集計手段が集計した掲載対象クリック率に応じて、生成手段が生成したリッチスニペット情報を更新する。
【００１０】
これにより、リッチスニペット生成更新装置は、１以上の所定のキーワードを含む基準クエリ、又は、当該基準クエリ及びその他のキーワードを含む付加クエリ、のうちのいずれか一方のクエリである第１クエリに応じた検索結果ページにおける、検索ヒットクリック率に応じてリッチスニペットを生成し、基準クエリ又は付加クエリのうち第１クエリではない他方のクエリである第２クエリに応じた検索結果ページにおける、掲載対象クリック率に応じてリッチスニペットの内容を更新する。すなわち、第１クエリと第２クエリとにより、２段階で幅広いユーザの利便性を向上するためのリッチスニペット情報を抽出して提供することができる。
したがって、１以上の所定のキーワードを含む基準クエリ、又は、当該基準クエリ及びその他のキーワードを含む付加クエリの使い分けに基づいて、基準クエリ又は付加クエリのうちの一方のクエリに応じた検索結果ページのクリックログに基づいてリッチスニペットを生成し、他方のクエリに応じた検索結果ページのクリックログに基づいて当該リッチスニペットの内容を更新することで、幅広いユーザの利便性を向上できる。
【００１１】
（２）  前記更新手段は、前記リッチスニペット情報に含まれる前記掲載対象ページの前記ユーザ端末における表示順位を前記掲載対象クリック率の高いものほど上位に表示するように変更する（１）に記載のリッチスニペット生成更新装置。
【００１２】
（２）のリッチスニペット生成更新装置によれば、ユーザ端末において、リッチスニペット情報に含まれる同一ドメインの掲載対象ページのうちクリック率の高いものから順に表示できる。
これにより、リッチスニペット情報として、ユーザにとって有用な掲載対象ページから順に表示できるので、ユーザの利便性をより向上できる。
【００１３】
（３）  前記更新手段は、前記掲載対象クリック率が所定の値より低い前記掲載対象ページを前記リッチスニペット情報から削除する（１）又は（２）に記載のリッチスニペット生成更新装置。
【００１４】
（３）のリッチスニペット生成更新装置によれば、リッチスニペット情報から掲載対象クリック率が所定の値より低い掲載対象ページを削除できる。
これにより、ユーザ端末において、リッチスニペット情報に含まれる同一ドメインの掲載対象ページのうちクリック率が所定の値より低い掲載対象ページを当該リッチスニペット情報から削除して表示できる。
したがって、リッチスニペット情報として、ユーザにとって不用な掲載対象ページを削除して有用な情報のみを表示することができる。さらに、リッチスニペット情報の表示スペースをより小さくしてその他の検索結果情報をより多く表示することができるので、ユーザの利便性をより向上できる。
【００１５】
（４）  前記更新手段は、前記リッチスニペット情報から削除した前記掲載対象ページの代わりに、前記抽出手段による抽出から漏れた前記検索ヒットページを前記リッチスニペット情報に含める（３）に記載のリッチスニペット生成更新装置。
【００１６】
（４）のリッチスニペット生成更新装置によれば、削除した掲載対象ページの代わりに、抽出手段による抽出から漏れて当該リッチスニペット情報に含められなかったその他の検索ヒットページをリッチスニペット情報に含めることができる。
これにより、リッチスニペット情報として、ユーザにとって不用な掲載対象ページを削除し、空いたスペースにその他の検索ヒットページを加えることができるので、ユーザの利便性をより向上できる。また、リッチスニペット生成更新装置は、当該更新手段による削除と追加を繰り返し実行することにより、常にユーザのニーズに合った検索ヒットページをリッチスニペット情報に含めてユーザ端末に表示することができる。
【００１７】
（５）  前記第１クエリは、前記付加クエリであり、
前記第２クエリは、前記基準クエリである（１）から（４）のいずれかに記載のリッチスニペット生成更新装置。
【００１８】
（５）のリッチスニペット生成更新装置によれば、付加クエリに応じた検索結果ページの検索ヒットクリック率に応じてリッチスニペット情報を生成し、基準クエリに応じた検索結果ページの掲載対象クリック率に応じてリッチスニペット情報を更新する。
これにより、例えば、検索サイトの熟練者による付加クエリに応じた検索結果ページの検索ヒットクリック率に応じてリッチスニペットを生成し、例えば、熟練者又は初心者による基準クエリに応じた検索結果ページの掲載対象クリック率に応じて当該リッチスニペットの内容を更新できる。すなわち、熟練者のノウハウを活用してリッチスニペットの掲載対象ページを抽出し、熟練者又は初心者の検索結果を利用して、抽出したリッチスニペットの掲載対象ページの漏れを補うことができる。
【００１９】
（６）  前記第１クエリは、前記基準クエリであり、
前記第２クエリは、前記付加クエリである（１）から（４）のいずれかに記載のリッチスニペット生成更新装置。
【００２０】
（６）のリッチスニペット生成更新装置によれば、基準クエリに応じた検索結果ページの検索ヒットクリック率に応じてリッチスニペット情報を生成し、付加クエリに応じた検索結果ページの掲載対象クリック率に応じてリッチスニペット情報を更新する。
これにより、例えば、熟練者又は初心者による基準クエリに応じた検索結果ページの検索ヒットクリック率に応じてリッチスニペットを生成し、例えば、検索サイトの熟練者による付加クエリに応じた検索結果ページの掲載対象クリック率に応じて当該リッチスニペットの内容を更新できる。すなわち、熟練者又は初心者の検索結果を利用して、漏れなくリッチスニペットの掲載対象ページを抽出し、熟練者のノウハウを活用して、抽出したリッチスニペットの掲載対象ページを整理できる。
【００２１】
（７）  前記更新手段は、前記設定手段が前記リッチスニペット情報を設定してから所定期間経過後に、当該リッチスニペット情報を更新する（１）から（３）のいずれかに記載のリッチスニペット生成更新装置。
【００２２】
（７）のリッチスニペット生成更新装置によれば、更新手段は、設定手段がリッチスニペット情報を設定してから所定期間経過後に、当該リッチスニペット情報を更新する。
これにより、リッチスニペット情報が生成されてから所定期間の掲載対象クリック率を集計してからリッチスニペット情報を更新できるので、リッチスニペット情報をより適切な内容に更新できる。
【００２３】
（８）  ネットワークを介して接続可能なユーザ端末から受け付けたクエリに応じた検索結果ページに含めるリッチスニペット情報を生成し更新するリッチスニペット生成更新装置が実行するリッチスニペット生成更新方法であって、
前記ユーザ端末から受け付けたクエリと、当該クエリに応じて前記ユーザ端末に表示した検索結果に含まれるページのうち前記ユーザ端末から選択を受け付けたページとを関連付けて記憶したクリックログデータベースを参照して、１以上の所定のキーワードを含む基準クエリ、又は、当該基準クエリ及びその他のキーワードを含む付加クエリ、のうちのいずれか一方のクエリである、第１クエリに応じた検索結果ページに含まれる、ドメインが同一のページである検索ヒットページのクリック率である検索ヒットクリック率に応じて、当該検索ヒットページから当該検索結果ページにおいて前記リッチスニペット情報に含める掲載対象ページを当該ドメイン毎に抽出する抽出ステップと、
前記抽出ステップで抽出した前記掲載対象ページのリンク情報を含むリッチスニペット情報を生成する生成ステップと、
前記生成ステップで生成した前記リッチスニペット情報を前記所定のキーワードに対する検索結果ページに含める設定をする設定ステップと、
前記クリックログデータベースを参照して、前記基準クエリ又は前記付加クエリのうち前記第１クエリではない他方のクエリである第２クエリに応じた検索結果ページにおける、前記リッチスニペット情報に含まれる前記掲載対象ページのクリック率である掲載対象クリック率を集計する集計ステップと、
前記集計ステップで集計した前記掲載対象クリック率に応じて、前記生成ステップで生成した前記リッチスニペット情報を更新する更新ステップと、を含むリッチスニペット生成更新方法。
【００２４】
（８）の方法によれば、（１）のリッチスニペット生成更新装置と同様の効果を奏する。
【発明の効果】
【００２５】
本発明によれば、１以上の所定のキーワードを含む基準クエリ、又は、当該基準クエリ及びその他のキーワードを含む付加クエリの使い分け等に基づいて、基準クエリ又は付加クエリのうちの一方のクエリでリッチスニペットを生成し、他方のクエリでリッチスニペットの内容を更新することで、幅広いユーザの利便性を向上できる。
【図面の簡単な説明】
【００２６】
【図１】本発明の実施形態に係るリッチスニペット生成更新システムの機能構成を示す図である。
【図２】本実施形態に係るクリックログデータベースの一例を示す図である。
【図３】本実施形態に係る抽出手段１２１の機能構成を説明する図である。
【図４】本実施形態に係るリッチスニペット情報生成手段が生成したリッチスニペット情報を説明する図である。
【図５】本実施形態に係る掲載対象ページクリック率集計手段の機能構成を説明する図である。
【図６】本実施形態に係るリッチスニペット情報更新手段により更新されたリッチスニペット情報を説明する図である。
【図７】本実施形態に係るリッチスニペット生成更新装置がリッチスニペット情報を生成する処理の流れを示すフローチャートである。
【図８】本実施形態に係るリッチスニペット生成更新装置がリッチスニペット情報を更新する処理の流れを示すフローチャートである。
【発明を実施するための形態】
【００２７】
以下に、本発明の実施形態を図面に基づいて詳細に説明する。なお、以下の実施形態の説明にあたって、同一構成要件については同一符号を付し、その説明を省略もしくは簡略化する。
【００２８】
［リッチスニペット生成更新システム１の機能構成］
図１は、本発明の実施形態に係るリッチスニペット生成更新システム１の機能構成を示す図である。
リッチスニペット生成更新システム１は、クエリを送信し当該クエリに応じた検索結果ページを受信するユーザ端末２０と、ネットワーク７を介してユーザ端末２０に接続され、ユーザ端末２０から受け付けたクエリに応じた検索結果ページにおけるリッチスニペット情報を生成して更新するリッチスニペット生成更新装置１０と、を備える。
【００２９】
本実施形態において、リッチスニペット生成更新装置１０は、ユーザ端末２０に検索サービスを提供する。具体的には、リッチスニペット生成更新装置１０は、ユーザ端末２０にクエリの入力可能な検索用のＷｅｂページ（以下、検索ページとも呼ぶ）を送信し、ユーザ端末２０から当該検索ページにおいて入力されたクエリを受信し、クエリに応じた検索結果ページに含まれる、検索ヒットページを抽出し、当該検索ヒットページのＵＲＬ等の情報を所定の順序で配列した検索結果のＷｅｂページ（以下、検索結果ページとも呼ぶ）をユーザ端末２０に送信する。
【００３０】
リッチスニペット生成更新装置１０は、検索結果ページにおいて、各検索ヒットページのＵＲＬ等の情報に、さらに、リッチスニペットをユーザ端末２０に表示させるためのリッチスニペット情報を付加する。
本実施形態において、「リッチスニペット情報」には、検索ヒットページの概要に加え、関連する情報として、当該検索ヒットページとドメインが同一の検索ヒットページ（以下、掲載対象ページとも呼ぶ）へのリンク情報を含む。また、「リンク情報」は、掲載対象ページの概要を示す情報や当該掲載対象ページのＵＲＬを含む。
【００３１】
リッチスニペット生成更新装置１０は、検索受付手段１１１と、検索結果生成送信手段１１２と、クリックログ記憶手段１１３と、リッチスニペット生成部１２０と、リッチスニペット情報設定手段１２５と、リッチスニペット更新部１３０と、クリックログデータベース１４０と、リッチスニペットデータベース１５０と、を備える。
【００３２】
検索受付手段１１１は、ユーザ端末２０からクエリを受信する。また、検索受付手段１１１は、受信したクエリをクリックログデータベース１４０に記憶する。
検索結果生成送信手段１１２は、ユーザ端末２０に検索ページを送信する。また、検索結果生成送信手段１１２は、検索受付手段１１１で受信した、当該検索ページにおいて入力されたクエリに応じた検索ヒットページを抽出し、リッチスニペットデータベース１５０を参照して、各検索ヒットページのＵＲＬ等の情報に、リッチスニペット情報を付加した検索結果ページを生成し、当該クエリを送信してきたユーザ端末２０に検索結果ページを送信する。
【００３３】
クリックログ記憶手段１１３は、ユーザ端末２０におけるクリックログをクリックログデータベース１４０に記憶する。
図２は、本実施形態に係るクリックログデータベースの一例を示す図である。
クリックログデータベース１４０は、ユーザ端末２０から受け付けたクエリと、当該クエリに応じてユーザ端末２０に表示した検索結果に含まれるページのうちユーザ端末２０から選択を受け付けたページとを関連付けて記憶する。
具体的には、クリックログ記憶手段１１３は、ユーザ端末２０から受け付けたクエリと、当該クエリに応じてユーザ端末２０に表示した検索結果に含まれるページのうちユーザ端末２０から選択を受け付けたページのＵＲＬと、当該ページのＵＲＬがクリックされた時間を対応付けて、クリックログデータベース１４０に記憶する。
【００３４】
図１に戻って、リッチスニペット生成部１２０は、検索結果生成送信手段１１２が検索受付手段１１１で受信した第１クエリに応じて抽出した検索ヒットページ毎に、クリックログデータベース１４０（図３参照）を参照して、リッチスニペット情報を生成し、当該リッチスニペット情報をリッチスニペットデータベース１５０に記憶する。
より詳細には、リッチスニペット生成部１２０は、抽出手段１２１と、リッチスニペット情報生成手段１２２と、を備える。
【００３５】
抽出手段１２１は、クリックログデータベース１４０を参照して、ユーザ端末２０から受け付けた、１以上の所定のキーワードを含む基準クエリ、又は、当該基準クエリ及びその他のキーワードを含む付加クエリ、のうちのいずれか一方のクエリである、第１クエリに応じた検索結果ページに含まれる、ドメインが同一のページである検索ヒットページのクリック率である検索ヒットクリック率に応じて、当該検索ヒットページから当該検索結果ページにおいてリッチスニペット情報に含める掲載対象ページを当該ドメイン毎に抽出する。
【００３６】
ここで、本実施形態においては、１以上の所定のキーワード（例えば、「ａｂｃ急便」）のみを含むクエリを基準クエリとし、当該基準クエリ（例えば、「ａｂｃ急便」）及びその他のキーワード（例えば、「追跡」）を含むクエリを付加クエリとする。また、本実施形態においては、付加クエリ（例えば、「ａｂｃ急便＋追跡」）を第１クエリとし、基準クエリ（例えば、「ａｂｃ急便」）を第２クエリとする。
なお、本実施形態の変形例として、付加クエリ（例えば、「ａｂｃ急便＋追跡」）を第２クエリとし、基準クエリ（例えば、「ａｂｃ急便」）を第１クエリとすることもできる。
【００３７】
また、本実施形態におけるクリック率は、ＣＴＲ（Ｃｌｉｃｋ  Ｔｈｒｏｕｇｈ  Ｒａｔｅ）とも呼び、あるＷｅｂページのＵＲＬがユーザ端末２０においてクリックされた回数を、当該ＷｅｂページのＵＲＬを送信（ユーザ端末２０に表示）した回数で除算した数値である。具体的には、検索ヒットクリック率とは、検索ヒットページのＵＲＬがユーザ端末２０においてクリックされた回数を、当該検索ヒットページのＵＲＬを送信（ユーザ端末２０に表示）した回数で除算した数値である。
【００３８】
抽出手段１２１は、より詳細には、検索受付手段１１１で受信したクエリである１以上の所定のキーワード（例えば、「ａｂｃ急便」）を含む付加クエリである第１クエリ（例えば、「ａｂｃ急便＋追跡」）と、検索結果生成送信手段１１２が抽出した第１クエリに応じた検索ヒットページと、を取得し、第１クエリに応じた検索ヒットページと同一ドメインの検索ヒットページの検索ヒットクリック率を算出し、算出した検索ヒットクリック率を互いに対比し、検索ヒットクリック率が高い上位３つの検索ヒットページを、当該検索ヒットページのリッチスニペット情報に含める掲載対象ページとして抽出する。なお、本実施形態では、リッチスニペット情報としてクリック率が高い上位３つの検索ヒットページを掲載対象ページとして抽出しているが、掲載対象ページの数は３つに限られず任意の数とすることができる。
【００３９】
図３を参照して、抽出手段１２１の機能構成を具体的に説明する。
図３は、本実施形態に係る抽出手段１２１の機能構成を説明する図である。
図３では、例えば１行目において、第１クエリ（付加クエリ）「ａｂｃ急便＋追跡」に対し、検索ヒットページのＵＲＬ「ｈｔｔｐ：／／ａｂｃ．ｃｏｍ／ｔｒａｃｅ．ｈｔｍ」と、抽出手段１２１がクリックログデータベース１４０を参照して算出した検索ヒットクリック率「０．３４」とが対応付けられている。
【００４０】
抽出手段１２１は、例えば、第１クエリが「ａｂｃ急便＋追跡」であり、検索結果生成送信手段１１２により抽出された検索ヒットページが「ｈｔｔｐ：／／ａｂｃ．ｃｏｍ」であれば、検索ヒットページと同一ドメインの検索ヒットページのうちから、検索ヒットクリック率が高い順に所定数の検索ヒットページを抽出する。ここで、所定数とは、予め決められたリッチスニペット情報に含める掲載対象ページの数である。例えば、所定数が３であれば、抽出手段１２１は、検索ヒットクリック率が高い順に３つの検索ヒットページ「ｈｔｔｐ：／／ａｂｃ．ｃｏｍ／ｆｅｅ．ｈｔｍ」、「ｈｔｔｐ：／／ａｂｃ．ｃｏｍ／ｔｒａｃｅ．ｈｔｍ」、「ｈｔｔｐ：／／ａｂｃ．ｃｏｍ／ｒｅｃｒｕｉｔ．ｈｔｍ」をリッチスニペット情報に含める掲載対象ページとして抽出する。この場合、検索ヒットクリック率の高さが４番目である「ｈｔｔｐ：／／ａｂｃ．ｃｏｍ／ｍａｐ．ｈｔｍ」は、抽出手段１２１の抽出から漏れた検索ヒットページとなる。
なお、別態様としては、検索ヒットページのうちから、検索ヒットクリック率が所定値以上の検索ヒットページをリッチスニペット情報に含める掲載対象ページとして抽出することもできる。
【００４１】
図１に戻って、リッチスニペット情報生成手段１２２は、リッチスニペット情報生成手段１２２は、抽出手段１２１が抽出した掲載対象ページのリンク情報であるＵＲＬを含むリッチスニペット情報を生成する。また、リッチスニペット情報生成手段１２２は、ユーザ端末２０において、複数の掲載対象ページを検索ヒットクリック率が高い順に表示するようにリッチスニペット情報を生成する。
【００４２】
図４を参照して、リッチスニペット情報生成手段１２２が生成したリッチスニペット情報について具体的に説明する。
図４は、本実施形態に係るリッチスニペット情報生成手段１２２が生成したリッチスニペット情報を説明する図である。
図４に示すように、ユーザ端末２０には、所定のキーワードの一例であるクエリ「ａｂｃ急便＋追跡」に応じた検索結果ページ２２１が表示されている。この検索結果ページ２２１において、検索ヒットページのリンク情報（ＵＲＬを含む名称）「ａｂｃ急便ホームページ」には、リッチスニペット情報生成手段１２２が生成したリッチスニペット情報により表示されたリッチスニペット２２２が付加されている。
リッチスニペット２２２には、抽出手段１２１が抽出した３つの掲載対象ページが、検索ヒットクリック率が高い順（「ｈｔｔｐ：／／ａｂｃ．ｃｏｍ／ｆｅｅ．ｈｔｍ」、「ｈｔｔｐ：／／ａｂｃ．ｃｏｍ／ｔｒａｃｅ．ｈｔｍ」、「ｈｔｔｐ：／／ａｂｃ．ｃｏｍ／ｒｅｃｒｕｉｔ．ｈｔｍ」の順）に表示されている。
すなわち、リッチスニペットデータベース１５０において、リッチスニペット情報は、検索ヒットページ毎に記憶され、ユーザ端末２０における複数の掲載対象ページの表示順序も規定する情報である。
【００４３】
図１に戻って、リッチスニペット情報設定手段１２５は、リッチスニペット情報生成手段１２２が生成したリッチスニペット情報を所定のキーワードに対する検索結果ページに含める設定をする。リッチスニペット情報設定手段１２５は、設定した当該リッチスニペット情報をリッチスニペットデータベース１５０に記憶する。
【００４４】
リッチスニペット更新部１３０は、クリックログデータベース１４０（図２参照）を参照して、リッチスニペット生成部１２０によって生成され、リッチスニペット情報設定手段１２５により設定されたリッチスニペットデータベース１５０に記憶されたリッチスニペット情報を更新する。
より詳細には、リッチスニペット更新部１３０は、掲載対象ページクリック率集計手段１３１と、リッチスニペット情報更新手段１３２と、を備える。
【００４５】
掲載対象ページクリック率集計手段１３１は、リッチスニペットデータベース１５０から、所定の検索ヒットページのリッチスニペット情報を取得する。そして、掲載対象ページクリック率集計手段１３１は、リッチスニペット情報設定手段１２５がリッチスニペット情報を設定してから所定期間経過しているか否かを判定する。掲載対象ページクリック率集計手段１３１は、上記所定期間を経過していると判定した場合には、クリックログデータベース１４０（図２参照）を参照して、基準クエリ又は付加クエリのうち第１クエリではない他方のクエリである第２クエリに応じた検索結果ページにおける、リッチスニペット情報に含まれる掲載対象ページの掲載対象クリック率を算出し集計する。
【００４６】
リッチスニペット情報更新手段１３２は、掲載対象ページクリック率集計手段１３１が集計した掲載対象ページの掲載対象クリック率に応じて、リッチスニペット情報生成手段１２２が生成したリッチスニペット情報を更新し、リッチスニペットデータベース１５０に記憶する。
また、リッチスニペット情報更新手段１３２は、リッチスニペット情報に含まれる掲載対象ページのユーザ端末２０における表示順位を掲載対象ページの掲載対象クリック率の高いものほど上位に表示するように変更する。
また、リッチスニペット情報更新手段１３２は、掲載対象クリック率が所定の値より低い掲載対象ページをリッチスニペット情報から削除する。
さらに、リッチスニペット情報更新手段１３２は、リッチスニペット情報から削除した掲載対象ページの代わりに、抽出手段１２１による抽出から漏れた検索ヒットページをリッチスニペット情報に含める。
【００４７】
図５を参照して、掲載対象ページクリック率集計手段１３１の機能構成を具体的に説明する。
図５は、本実施形態に係る掲載対象ページクリック率集計手段１３１の機能構成を説明する図である。
図５では、例えば１行目において、第２クエリ（基準クエリ）「ａｂｃ急便」に対し、掲載対象ページのＵＲＬ「ｈｔｔｐ：／／ａｂｃ．ｃｏｍ／ｔｒａｃｅ．ｈｔｍ」と、掲載対象ページクリック率集計手段１３１が算出した掲載対象クリック率「０．８６」とが対応付けられている。
【００４８】
掲載対象ページクリック率集計手段１３１は、例えば、第２クエリ「ａｂｃ急便」に対応づけられた「ｈｔｔｐ：／／ａｂｃ．ｃｏｍ／ｆｅｅ．ｈｔｍ」の掲載対象クリック率として「０．５５」を集計し、「ｈｔｔｐ：／／ａｂｃ．ｃｏｍ／ｔｒａｃｅ．ｈｔｍ」の掲載対象クリック率として「０．８６」を集計し、「ｈｔｔｐ：／／ａｂｃ．ｃｏｍ／ｒｅｃｒｕｉｔ．ｈｔｍ」の掲載対象クリック率として「０．０１」を集計する。
【００４９】
この場合、リッチスニペット情報更新手段１３２は、「ｈｔｔｐ：／／ａｂｃ．ｃｏｍ／ｆｅｅ．ｈｔｍ」の掲載対象クリック率「０．５５」より「ｈｔｔｐ：／／ａｂｃ．ｃｏｍ／ｔｒａｃｅ．ｈｔｍ」の掲載対象クリック率「０．８６」の方が大きいので、「ｈｔｔｐ：／／ａｂｃ．ｃｏｍ／ｆｅｅ．ｈｔｍ」と「ｈｔｔｐ：／／ａｂｃ．ｃｏｍ／ｔｒａｃｅ．ｈｔｍ」の表示順序を入れ替えてリッチスニペット情報を更新する。
また、リッチスニペット情報更新手段１３２は、掲載対象クリック率が所定の値（例えば、「０．１」）より低い「ｈｔｔｐ：／／ａｂｃ．ｃｏｍ／ｒｅｃｒｕｉｔ．ｈｔｍ」をリッチスニペット情報から削除する。
さらに、リッチスニペット情報更新手段１３２は、削除した「ｈｔｔｐ：／／ａｂｃ．ｃｏｍ／ｒｅｃｒｕｉｔ．ｈｔｍ」の代わりに、抽出手段１２１による抽出から漏れた「ｈｔｔｐ：／／ａｂｃ．ｃｏｍ／ｍａｐ．ｈｔｍ」をリッチスニペット情報に含める。
【００５０】
図６は、本実施形態に係るリッチスニペット情報更新手段１３２により更新されたリッチスニペット情報を説明する図である。
図６に示すように、リッチスニペット情報更新手段１３２によりリッチスニペット情報が更新されることで、ユーザ端末２０には、例えば、クエリ「ａｂｃ急便」に応じた検索結果ページ２２１において、検索ヒットページのリンク情報（ＵＲＬを含む名称）「ａｂｃ急便ホームページ」に、リッチスニペット情報更新手段１３２が更新したリッチスニペット情報により表示されたリッチスニペット２２２が付加されている。
リッチスニペット２２２には、掲載対象ページクリック率集計手段１３１が集計した掲載対象クリック率が高い順に、掲載対象ページとして「ｈｔｔｐ：／／ａｂｃ．ｃｏｍ／ｔｒａｃｅ．ｈｔｍ」、「ｈｔｔｐ：／／ａｂｃ．ｃｏｍ／ｆｅｅ．ｈｔｍ」、が表示されている。すなわち、図６に示すリッチスニペット情報更新手段１３２が更新したリッチスニペット情報によるリッチスニペットは、図４に示すリッチスニペット情報生成手段１２２が生成したリッチスニペット情報によるリッチスニペットに対し、「ｈｔｔｐ：／／ａｂｃ．ｃｏｍ／ｔｒａｃｅ．ｈｔｍ」と「ｈｔｔｐ：／／ａｂｃ．ｃｏｍ／ｆｅｅ．ｈｔｍ」との表示順序が入れ替わっている。
【００５１】
また、図６に示すリッチスニペット情報更新手段１３２が更新したリッチスニペット情報によるリッチスニペットは、図４に示すリッチスニペット情報生成手段１２２が生成したリッチスニペット情報によるリッチスニペットから「ｈｔｔｐ：／／ａｂｃ．ｃｏｍ／ｒｅｃｒｕｉｔ．ｈｔｍ」が削除され、代わりに「ｈｔｔｐ：／／ａｂｃ．ｃｏｍ／ｍａｐ．ｈｔｍ」が末尾に表示されている。
【００５２】
図１に戻って、ユーザ端末２０は、入力手段２１０と、表示手段２２０と、ユーザ端末制御手段２３０と、を備える。
入力手段２１０は、リッチスニペット生成更新装置１０から送信された検索ページにおいて、クエリを入力する操作や、検索ヒットページや掲載対象ページのリンク情報であるＵＲＬをクリック操作を受け付ける。
表示手段２２０は、リッチスニペット生成更新装置１０から送信された検索ページ、検索結果ページ（図４及び６参照）、検索ヒットページ又は掲載対象ページを表示する。
ユーザ端末制御手段２３０は、リッチスニペット生成更新装置１０から送信された検索ページ、検索結果ページ（図４及び６参照）、検索ヒットページ又は掲載対象ページを表示手段２２０に表示し、入力手段２１０において入力されたクエリ、検索ヒットページや掲載対象ページのリンク情報であるＵＲＬのクリック操作をリッチスニペット生成更新装置１０に送信する。
【００５３】
［リッチスニペット生成更新システム１のハードウェア構成］
実施形態に係るリッチスニペット生成更新システム１のリッチスニペット生成更新装置１０及びユーザ端末２０は、コンピュータ及びその周辺装置に適用される。リッチスニペット生成更新装置１０及びユーザ端末２０における各部は、コンピュータ及びその周辺装置が備えるハードウェア並びに当該ハードウェアを制御するソフトウェアによって構成される。
【００５４】
上記ハードウェアには、ＣＰＵ（Ｃｅｎｔｒａｌ  Ｐｒｏｃｅｓｓｉｎｇ  Ｕｎｉｔ）、記憶部の他、通信装置、表示装置、入力装置が含まれる。記憶部としては、例えば、メモリ（ＲＡＭ：Ｒａｎｄｏｍ  Ａｃｃｅｓｓ  Ｍｅｍｏｒｙ、ＲＯＭ：Ｒｅａｄ  Ｏｎｌｙ  Ｍｅｍｏｒｙ等）、ハードディスクドライブ（ＨＤＤ：Ｈａｒｄ  Ｄｉｓｋ  Ｄｒｉｖｅ）、及び光ディスク（ＣＤ：Ｃｏｍｐａｃｔ  Ｄｉｓｋ、ＤＶＤ：Ｄｉｇｉｔａｌ  Ｖｅｒｓａｔｉｌｅ  Ｄｉｓｋ等）ドライブが挙げられる。通信装置としては、例えば、各種有線及び無線インターフェース装置が挙げられる。表示装置としては、例えば、液晶ディスプレイ、プラズマディスプレイ等の各種ディスプレイが挙げられる。入力装置としては、例えば、入力キー、タッチパネル、キーボード及びポインティング・デバイス（マウス、トラッキングボール等）が挙げられる。
【００５５】
上記ソフトウェアには、上記ハードウェアを制御するコンピュータ・プログラム及びデータが含まれる。コンピュータ・プログラム及びデータは、記憶部により記憶され、各制御部により適宜実行、参照される。また、コンピュータ・プログラムやデータは、通信回線を介して配布されることも可能であり、ＣＤ−ＲＯＭ等のコンピュータ可読媒体に記録して配布されることも可能である。
【００５６】
［リッチスニペット生成更新装置１０の制御フロー］
次に、リッチスニペット生成更新装置１０がリッチスニペット情報を生成する処理の制御フローについて説明する。
図７は、本実施形態に係るリッチスニペット生成更新装置１０がリッチスニペット情報を生成する処理の流れを示すフローチャートである。
【００５７】
ステップＳ１１において、抽出手段１２１は、検索受付手段１１１がユーザ端末２０から受信した１以上の所定のキーワードを含む基準クエリ、又は、当該基準クエリ及びその他のキーワードを含む付加クエリ、のうちのいずれか一方のクエリである、第１クエリを取得する。
【００５８】
ステップＳ１２において、抽出手段１２１は、検索結果生成送信手段１１２が抽出した第１クエリに応じた検索ヒットページを取得する。
【００５９】
ステップＳ１３において、抽出手段１２１は、クリックログデータベース１４０（図２参照）を参照する。
【００６０】
ステップＳ１４において、抽出手段１２１は、ステップＳ１１で取得した第１クエリに応じた検索ヒットページに含まれる、ドメインが同一の検索ヒットページの検索ヒットクリック率を算出し互いに対比する。
【００６１】
ステップＳ１５において、抽出手段１２１は、ステップＳ１４の処理における対比の結果、検索ヒットクリック率が高い検索ヒットページを、当該検索ヒットページのリッチスニペット情報に含める掲載対象ページとして抽出する。
【００６２】
ステップＳ１６において、リッチスニペット情報生成手段１２２は、ステップＳ１５で抽出手段１２１が抽出した掲載対象ページのリンク情報であるＵＲＬを含むリッチスニペット情報を生成する。また、ステップＳ１６において、リッチスニペット情報生成手段１２２は、ユーザ端末２０において、複数の掲載対象ページを検索ヒットクリック率が高い順に表示するようにリッチスニペット情報を生成する。
ステップＳ１６でリッチスニペット情報生成手段１２２により生成されたリッチスニペット情報は、リッチスニペット情報設定手段１２５により所定のキーワードに対する検索結果に含める設定がされ、リッチスニペットデータベース１５０に記憶される。
【００６３】
次に、リッチスニペット生成更新装置１０がリッチスニペット情報を更新する処理の制御フローについて説明する。
図８は、本実施形態に係るリッチスニペット生成更新装置１０がリッチスニペット情報を更新する処理の流れを示すフローチャートである。
【００６４】
ステップＳ２１において、掲載対象ページクリック率集計手段１３１は、リッチスニペットデータベース１５０から、リッチスニペット情報生成手段１２２が生成した所定の検索ヒットページのリッチスニペット情報を取得する。
【００６５】
ステップＳ２２において、掲載対象ページクリック率集計手段１３１は、ステップＳ２１で取得したリッチスニペット情報について、リッチスニペット情報設定手段１２５が当該リッチスニペット情報を設定してから所定期間経過しているか否かを判定し、所定期間経過していると判定した場合はステップＳ２３に処理を移し、所定期間経過していると判定しない場合はステップＳ２１に処理を戻し、別のリッチスニペット情報を取得する。
【００６６】
ステップＳ２３において、掲載対象ページクリック率集計手段１３１は、クリックログデータベース１４０（図２参照）を参照する。
【００６７】
ステップＳ２４において、掲載対象ページクリック率集計手段１３１は基準クエリ又は付加クエリのうち第１クエリではない他方のクエリである第２クエリに応じた検索結果ページにおける、リッチスニペット情報に含まれる掲載対象ページの掲載対象クリック率を算出し集計する。
【００６８】
ステップＳ２５において、リッチスニペット情報更新手段１３２は、リッチスニペット情報に含まれる掲載対象ページのユーザ端末２０における表示順位を掲載対象ページの掲載対象クリック率の高いものほど上位に表示するように変更するようにリッチスニペット情報を更新する。
【００６９】
ステップＳ２６において、リッチスニペット情報更新手段１３２は、ステップＳ２４で算出した掲載対象クリック率が所定の値より低い掲載対象ページが有るか否かを判定し、掲載対象クリック率が所定の値より低い掲載対象ページが有ると判定した場合はステップＳ２７に処理を移し、掲載対象クリック率が所定の値より低い掲載対象ページが無いと判定した場合にはステップＳ２５で更新したリッチスニペット情報をリッチスニペットデータベース１５０に記憶し、本処理を終了する。
【００７０】
ステップＳ２７において、リッチスニペット情報更新手段１３２は、ステップＳ２６の処理で掲載対象クリック率が所定の値より低いと判定した掲載対象ページをリッチスニペット情報から削除する。そして、リッチスニペット情報更新手段１３２は、この削除した掲載対象ページの代わりに、抽出手段１２１による抽出から漏れた検索ヒットページをリッチスニペット情報に含めるようにリッチスニペット情報を更新し、更新したリッチスニペット情報をリッチスニペットデータベース１５０に記憶し、本処理を終了する。
【００７１】
本実施形態によれば、以下のような作用効果がある。
本実施形態によれば、リッチスニペット生成更新装置１０は、ネットワーク７を介して接続可能なユーザ端末２０から受け付けたクエリに応じた検索結果ページに含めるリッチスニペット情報を生成し更新する。
抽出手段１２１は、クリックログデータベース１４０を参照して、ユーザ端末２０から受け付けた、１以上の所定のキーワードを含む基準クエリ、又は、当該基準クエリ及びその他のキーワードを含む付加クエリ、のうちのいずれか一方のクエリである、第１クエリに応じた検索結果ページに含まれる、ドメインが同一のページである検索ヒットページのクリック率である検索ヒットクリック率に応じて、当該検索ヒットページから当該検索結果ページにおいてリッチスニペット情報に含める掲載対象ページを当該ドメイン毎に抽出する。
リッチスニペット情報生成手段１２２は、抽出手段１２１が抽出した掲載対象ページのリンク情報を含むリッチスニペット情報を生成する。
リッチスニペット情報設定手段１２５は、リッチスニペット情報生成手段１２２が生成したリッチスニペット情報を所定のキーワードに対する検索結果ページに含める設定をする。
掲載対象ページクリック率集計手段１３１は、クリックログデータベース１４０を参照して、基準クエリ又は付加クエリのうち第１クエリではない他方のクエリである第２クエリに応じた検索結果ページにおける、リッチスニペット情報に含まれる掲載対象ページのクリック率である掲載対象クリック率を集計する。
リッチスニペット情報更新手段１３２は、掲載対象ページクリック率集計手段１３１が集計した掲載対象クリック率に応じて、リッチスニペット情報生成手段１２２が生成したリッチスニペット情報を更新する。
【００７２】
これにより、リッチスニペット生成更新装置１０は、１以上の所定のキーワードを含む基準クエリ、又は、当該基準クエリ及びその他のキーワードを含む付加クエリ、のうちのいずれか一方のクエリである第１クエリに応じた検索結果ページにおける、検索ヒットクリック率に応じてリッチスニペットを生成し、基準クエリ又は付加クエリのうち第１クエリではない他方のクエリである第２クエリに応じた検索結果ページにおける、掲載対象クリック率に応じてリッチスニペットの内容を更新する。すなわち、第１クエリと第２クエリとにより、２段階で幅広いユーザの利便性を向上するためのリッチスニペット情報を抽出して提供することができる。
したがって、１以上の所定のキーワードを含む基準クエリ、又は、当該基準クエリ及びその他のキーワードを含む付加クエリの使い分けに基づいて、基準クエリ又は付加クエリのうちの一方のクエリに応じた検索結果ページのクリックログに基づいてリッチスニペットを生成し、他方のクエリに応じた検索結果ページのクリックログに基づいて当該リッチスニペットの内容を更新することで、幅広いユーザの利便性を向上できる。
【００７３】
また、リッチスニペット生成更新装置１０によれば、ユーザ端末２０において、リッチスニペット情報として掲載対象クリック率の高いものから順に表示できる。
これにより、リッチスニペット情報に含まれる同一ドメインの掲載対象ページのうちユーザにとって有用な掲載対象ページから順に表示できるので、ユーザの利便性をより向上できる。
【００７４】
また、リッチスニペット生成更新装置１０によれば、リッチスニペット情報から掲載対象クリック率が所定の値より低い掲載対象ページを削除できる。
これにより、ユーザ端末２０において、リッチスニペット情報に含まれる同一ドメインの掲載対象ページのうちクリック率が所定の値より低い掲載対象ページを当該リッチスニペット情報から削除して表示できる。
したがって、リッチスニペット情報として、ユーザにとって不用な掲載対象ページを削除して有用な情報のみを表示することができる。さらに、リッチスニペット情報の表示スペースをより小さくしてその他の検索結果情報をより多く表示することができるので、ユーザの利便性をより向上できる。
【００７５】
また、リッチスニペット生成更新装置１０によれば、削除した掲載対象ページの代わりに、抽出手段による抽出から漏れて当該リッチスニペット情報に含められなかったその他の検索ヒットページをリッチスニペット情報に含めることができる。
これにより、リッチスニペット情報として、ユーザにとって不用な掲載対象ページを削除し、空いたスペースにその他の検索ヒットページ有用な情報を加えることができるので、ユーザの利便性をより向上できる。また、リッチスニペット生成更新装置１０は、リッチスニペット情報更新手段１３２による削除と追加を繰り返し実行することにより、常にユーザのニーズに合った検索ヒットページをリッチスニペット情報に含めてユーザ端末２０に表示することができる。
【００７６】
また、リッチスニペット生成更新装置１０によれば、付加クエリに応じた検索結果ページの検索ヒットクリック率に応じてリッチスニペット情報を生成し、基準クエリに応じた検索結果ページの掲載対象クリック率に応じてリッチスニペット情報を更新する。
これにより、例えば、検索サイトの熟練者による付加クエリに応じた検索結果ページの検索ヒットクリック率に応じてリッチスニペットを生成し、例えば、熟練者又は初心者による基準クエリに応じた検索結果ページの掲載対象クリック率に応じて当該リッチスニペットの内容を更新できる。すなわち、熟練者のノウハウを活用してリッチスニペットの掲載対象ページを抽出し、熟練者又は初心者の検索結果を利用して、抽出したリッチスニペットの掲載対象ページの漏れを補うことができる。
【００７７】
また、リッチスニペット生成更新装置１０によれば、基準クエリに応じた検索結果ページの検索ヒットクリック率に応じてリッチスニペット情報を生成し、付加クエリに応じた検索結果ページの掲載対象クリック率に応じてリッチスニペット情報を更新する。
これにより、例えば、熟練者又は初心者による基準クエリに応じた検索結果ページの検索ヒットクリック率に応じてリッチスニペットを生成し、例えば、検索サイトの熟練者による付加クエリに応じた検索結果ページの掲載対象クリック率に応じて当該リッチスニペットの内容を更新できる。すなわち、熟練者又は初心者の検索結果を利用して、漏れなくリッチスニペットの掲載対象ページを抽出し、熟練者のノウハウを活用して、抽出したリッチスニペットの掲載対象ページを整理できる。
【００７８】
また、リッチスニペット情報更新手段１３２は、リッチスニペット情報設定手段１２５がリッチスニペット情報を設定してから所定期間経過後に、当該リッチスニペット情報を更新する。
これにより、リッチスニペット情報が生成されてから所定期間の掲載対象クリック率を集計してからリッチスニペット情報を更新できるので、リッチスニペット情報をより適切な内容に更新できる。
【００７９】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００８０】
７      ネットワーク
１０    リッチスニペット生成更新装置
１２１  抽出手段
１２２  リッチスニペット情報生成手段
１２５  リッチスニペット情報設定手段
１３１  掲載対象ページクリック率集計手段
１３２  リッチスニペット情報更新手段
２０    ユーザ端末
【図１】
0005384597.tif 000002
【図２】
0005384597.tif 000003
【図３】
0005384597.tif 000004
【図４】
0005384597.tif 000005
【図５】
0005384597.tif 000006
【図６】
0005384597.tif 000007
【図７】
0005384597.tif 000008
【図８】
0005384597.tif 000009